(57)【要約】【課題】  特定の結果を得るための一連の操作入力を記憶し、一連の操作入力を一括して実行することが可能となる。【解決手段】  本発明の携帯端末としてのＰＨＳ２００は、基地局を介して通信を行うＰＨＳ２００であって、１または複数のユーザによる操作入力２２０を時系列に並べた操作モジュール２２２を生成する操作モジュール生成部２１６と、生成された操作モジュール２２２を記憶する端末記憶部２０４と、ユーザによる操作モジュール２２２の実行入力に応じて、操作モジュール２２２中の操作入力２２０を順次実行する端末実行部２１８と、を備えることを特徴としている。【選択図】    図２
2009152806.tif 000002
【特許請求の範囲】
【請求項１】
基地局を介して通信を行う携帯端末であって、
１または複数のユーザによる操作入力を時系列に並べた操作モジュールを生成する操作モジュール生成部と、
前記生成された操作モジュールを記憶する端末記憶部と、
ユーザによる前記操作モジュールの実行入力に応じて、該操作モジュール中の操作入力を順次実行する端末実行部と、
を備えることを特徴とする携帯端末。
【請求項２】
ユーザによる開始入力に応じて前記操作モジュール生成部による操作モジュールの生成を開始し、ユーザによる終了入力に応じて該操作モジュール生成部による操作モジュールの生成を終了する操作制御部をさらに備えることを特徴とする請求項１に記載の携帯端末。
【請求項３】
前記端末記憶部に記憶された操作モジュール単位または該操作モジュールを構成する操作入力単位でその内容を把握可能に表示する端末表示部をさらに備えることを特徴とする請求項１または２に記載の携帯端末。
【請求項４】
ユーザ入力に応じて前記端末記憶部に記憶された操作モジュールを編集し新たな操作モジュールを作成する編集作成部をさらに備えることを特徴とする請求項１から３のいずれか１項に記載の携帯端末。
【請求項５】
前記操作モジュールを外部に転送する端末通信部をさらに備えることを特徴とする請求項１から４のいずれか１項に記載の携帯端末。
【請求項６】
基地局を介して通信を行う携帯端末を用いた端末操作方法であって、
１または複数のユーザによる操作入力を時系列に並べて操作モジュールを生成し、
前記生成された操作モジュールを記憶し、
ユーザによる前記操作モジュールの実行入力に応じて、該操作モジュール中の操作入力を順次実行することを特徴とする端末操作方法。
【発明の詳細な説明】
【技術分野】
【０００１】
本発明は、基地局を介して通信を行う携帯端末および端末操作方法に関する。
【背景技術】
【０００２】
昨今ＰＨＳ（Personal Handy-phone System）や携帯電話などの移動通信端末、ＰＤＡ（Personal Digital Assistant）やＧＰＳ(Global Positioning System)などの情報端末など、様々な携帯端末が提案され、また提供されている。これらの携帯端末は表示インターフェースとして液晶などの表示部を備え、入力インターフェースとして複数のスイッチ（キー）やタッチパネルを備え、使用者が外出先で簡便に情報を参照、入力しうるように構成されている。
【０００３】
特に近年、技術の進歩により携帯端末は高機能化の一途をたどり、例えば電話帳などのリストを参照するに留まらず、メールやウェブブラウザ、ゲームなどの様々なアプリケーションが実行可能となってきている。
【０００４】
しかしながら、上述したようなアプリケーションを実行するためには、複雑かつ多様化した操作入力を行わなければならないことも多く、ユーザがこれらの操作入力を全て覚えるのは困難であった。
【０００５】
そこで、携帯端末の音量設定や発番号通知の有無等の機能設定操作を履歴として残し、簡易に機能設定を行う技術が開示されている（例えば、特許文献１）。
【特許文献１】特開２００１−１２７８６７号公報
【発明の開示】
【発明が解決しようとする課題】
【０００６】
しかし、上述した特許文献１に記載されたような技術では、携帯端末自体の単純な機能設定に関しては考慮されているが、上述した様々なアプリケーションを実行するための複雑な操作入力に関して考慮されていない。
【０００７】
また同一の結果を得るために、同じ操作を繰り返さなければならないという煩わしさもある。
【０００８】
本発明は従来の携帯端末に関する上記問題点に鑑みてなされたものであり、本発明の目的は、特定の結果を得るための一連の操作入力を記憶し、そのような一連の操作入力を一括して実行することが可能な、携帯端末および端末操作方法を提供することである。
【課題を解決するための手段】
【０００９】
上記課題を解決するために、本発明にかかる携帯端末の代表的な構成は、基地局を介して通信を行う携帯端末であって、１または複数のユーザによる操作入力を時系列に並べた操作モジュールを生成する操作モジュール生成部と、生成された操作モジュールを記憶する端末記憶部と、ユーザによる操作モジュールの実行入力に応じて、当該操作モジュール中の操作入力を順次実行する端末実行部と、を備えることを特徴とする。
【００１０】
かかる構成により、操作モジュール生成部が一度入力された操作入力から操作モジュールを生成し、端末記憶部がその操作モジュールを記憶し、さらに端末実行部が一度行った操作入力を操作モジュール単位で実行することができる。したがって、一度行った操作入力を、簡単かつ確実に再度実行することが可能となる。
【００１１】
上記携帯端末は、ユーザによる開始入力に応じて前記操作モジュール生成部による操作モジュールの生成を開始し、ユーザによる終了入力に応じて該操作モジュール生成部による操作モジュールの生成を終了する操作制御部をさらに備えてもよい。
【００１２】
これにより、ユーザが所望する一連の操作入力のみを操作モジュールとして記憶させることができる。
【００１３】
上記携帯端末は、端末記憶部に記憶された操作モジュール単位または当該操作モジュールを構成する操作入力単位でその内容を把握可能に表示する端末表示部をさらに備えてもよい。
【００１４】
これにより、端末表示部を通して過去に行った操作モジュールおよび操作入力を、簡単かつ確実にユーザに視認させることができる。さらに、ユーザは表示された複数の操作モジュールおよび操作入力から所望する操作モジュールおよび操作入力を簡単に選択することが可能となる。
【００１５】
上記携帯端末は、ユーザ入力に応じて端末記憶部に記憶された操作モジュールを編集し新たな操作モジュールを作成する編集作成部をさらに備えてもよい。
【００１６】
これにより、過去に行った操作モジュールの中でユーザが所望する操作入力を部分的に編集したり、操作入力ごと編集したりして、新たな操作モジュールを作成することができる。さらに、新たに作成した操作モジュールを実行することができるので、使い勝手が向上する。
【００１７】
上記の携帯端末は、操作モジュールを外部に転送する端末通信部をさらに備えてもよい。
【００１８】
これにより、作成された操作モジュールは、端末通信部を通して他の携帯端末やパーソナルコンピュータ等の端末機器に送信することができる。したがって、送信先の端末機器でも煩わしい操作入力を伴うことなく同様の操作モジュールを実行することが可能となる。
【００１９】
上記課題を解決するために、本発明にかかる端末操作方法の代表的な構成は、基地局を介して通信を行う携帯端末を用いた端末操作方法であって、１または複数のユーザによる操作入力を時系列に並べて操作モジュールを生成し、生成された操作モジュールを記憶し、ユーザによる操作モジュールの実行入力に応じて、当該操作モジュール中の操作入力を順次実行することを特徴とする。
【００２０】
上述した携帯端末の技術的思想に基づく構成要素やその説明は、当該端末操作方法にも適用可能である。
【発明の効果】
【００２１】
以上説明したように本発明の携帯端末によれば、特定の結果を得るための一連の操作入力を記憶し、一連の操作入力を一括して実行することが可能である。
【発明を実施するための最良の形態】
【００２２】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
以下の実施形態では、過去に実行した複雑な操作入力を必要とするアプリケーションを簡単な操作で再度実行することが可能な携帯端末および端末操作方法を説明する。ここでは、理解を容易にするため、通信システム全体の構成を説明し、その後、個々の構成要素について詳述する。
【００２４】
（通信システム１００）
図１は、通信システム１００を説明するためのシステム図である。かかる通信システム１００は、無線経路を含む無線通信システムであり、携帯端末としてのＰＨＳ２００と、基地局１１０と、ＩＳＤＮ（Integrated Services Digital Network）回線、インターネット、専用回線等で構成される複数の通信網１２０と、センターサーバ１３０と、を含んで構成される。ここでは、携帯端末としてＰＨＳを挙げているが、かかる場合に限られず、携帯電話、パーソナルコンピュータ、ＰＤＡ、デジタルカメラ、音楽プレイヤー、カーナビゲーション、ポータブルテレビ、ゲーム機器、ＤＶＤプレイヤー、リモートコントローラ等通信機能を有する様々な電子機器を用いることもできる。
【００２５】
図１に示すように、通信システム１００では、ＰＨＳ２００のユーザがＰＨＳ２００を利用して、センターサーバ１３０上のアプリケーション例えばウェブブラウザによるホームページ閲覧を実行しようと試みた場合、ＰＨＳ２００の操作に応じて、通信可能領域にある基地局１１０と通信が確立され、基地局１１０は、通信網１２０を介してセンターサーバ１３０との接続を要求する。
【００２６】
そして、センターサーバ１３０への接続が確立されると、ＰＨＳ２００の端末制御部がセンターサーバ１３０からアプリケーションをダウンロードし、ＰＨＳ２００におけるユーザ入力に応じて実行される。
【００２７】
以下、通信システム１００におけるＰＨＳ２００の構成を説明する。ここでは、ＰＨＳ２００が基地局１１０を介してセンターサーバ１３０と通信する形態を説明しているが、かかる場合に限られず、他の無線手段や有線通信等による様々な通信機器同士の通信に適用可能である。
【００２８】
（第一実施形態：ＰＨＳ２００）
図２は第一実施形態にかかるＰＨＳ２００の概略的な機能を示した機能ブロック図であり、図３は、ＰＨＳ２００の外観斜視図である。かかるＰＨＳ２００は、端末制御部２０２、端末記憶部２０４と、端末表示部２０６と、操作部２０８と、端末通信部２１０と、音声入力部２１２と、音声出力部２１４と、を含んで構成される。
【００２９】
端末制御部２０２は、中央処理装置（ＣＰＵ）を含む半導体集積回路によりＰＨＳ２００全体を管理および制御する。端末制御部２０２は、端末記憶部２０４のプログラムを用いて、ウェブ閲覧機能、通話機能、メール送受信機能、撮像機能、音楽再生機能、ＴＶ視聴機能も実行する。
【００３０】
端末記憶部２０４は、ＲＯＭ、ＲＡＭ、ＥＥＰＲＯＭ、不揮発性ＲＡＭ、フラッシュメモリ、ＨＤＤ（Hard Disk Drive）等で構成され、端末制御部２０２で処理されるプログラムや音声データ等を記憶する。
【００３１】
端末表示部２０６は、液晶ディスプレイ、ＥＬ(Electro Luminescence)、ＰＤＰ(Plasma Display Panel)等で構成され、端末記憶部２０４に記憶された、または通信網１２０を介してセンターサーバ１３０から提供される、ＷｅｂブラウザやアプリケーションのＧＵＩ（Graphical User Interface）を表示することができる。
【００３２】
操作部２０８は、キーボード、十字キー、ジョイスティック等のスイッチから構成され、ユーザの操作入力を受け付ける。本実施形態において操作部２０８は、実行キー２０８ａを含んで構成されている。
【００３３】
端末通信部２１０は、本実施形態において通信網１２０における基地局１１０との無線通信を行う。かかる無線通信としては、基地局１１０内でフレームを時分割した複数のタイムスロットをそれぞれＰＨＳ２００のチャネルに割り当てて通信を行う時分割多重方式等が採用されている。
【００３４】
音声入力部２１２は、マイク等の音声認識手段で構成され、通話時に入力されたユーザの音声をＰＨＳ２００内で処理可能な電気信号に変換する。
【００３５】
音声出力部２１４は、スピーカで構成され、ＰＨＳ２００で受信した通話相手の音声信号を音声に変えて出力する。また、着信音や、操作部２０８の操作音、アラーム音等も出力できる。
【００３６】
また本実施形態において端末制御部２０２は、操作モジュール生成部２１６、端末実行部２１８としても機能する。
【００３７】
操作モジュール生成部２１６は、１または複数のユーザによる操作部２０８の押下等による操作入力２２０を時系列に並べ操作モジュール２２２を作成する。
【００３８】
図４は、操作入力２２０および操作モジュール２２２を説明するための説明図である。本実施形態において、操作入力２２０とは、計算（加工）を伴う処理の最小単位とし、操作モジュール２２２とは特定の結果を得るための一連の処理と定義する。例えば、センターサーバ１３０上にあるホームページ閲覧としての路線検索を実行した場合、「ブラウザ起動」、「ダウンロード完了の受信を受け付けた後、出発駅選択」、「ダウンロード完了の受信を受け付けた後、文字入力」等の個々の処理単位が操作入力２２０となる。そして、「ブラウザ起動」から「ダウンロード完了の受信を受け付けた後、検索開始確定」までの一連の処理が操作モジュール２２２となる。
【００３９】
本実施形態において操作モジュール２２２は、操作入力の無い状態（以下、無操作という。）が所定時間以上あるか否かで区切られる。例えば、図４に示すように、「ブラウザ起動」の前に例えば６０秒以上の無操作状態が検出されると、「ブラウザ起動」の前で操作モジュール２２２ａの生成を終了し１つの操作モジュール２２２ａとし、「ブラウザ起動」から新たな操作モジュール２２２ｂの生成を開始する。また「検索開始確定」の後に６０秒以上の無操作状態が検出されれば「検索開始確定」までで新たな操作モジュール２２２ｂの生成を終了し、新たな操作モジュール２２２ｃの生成を開始する。ただし、無操作状態であっても「ブラウザ起動」最中であったり、「ダウンロード」の最中であったりする場合には、例外的に操作モジュール２２２の生成を終了しないとしてもよい。
【００４０】
操作モジュール生成部２１６によって生成された操作モジュール２２２は端末記憶部２０４に記憶される。
【００４１】
図５は、端末記憶部２０４に記憶された操作モジュール２２２を説明するための説明図である。端末記憶部２０４において操作モジュール２２２は、図５（ａ）に示すように、操作モジュール２２２の生成開始時刻と関連付けられて記憶されていてもよいし、図５（ｂ）に示すように、操作モジュール２２２の処理内容もしくは操作モジュール特定情報２２４と関連付けられて記憶されていても、図５（ｃ）に示すように、操作モジュール２２２の処理内容と関連付けられた識別子と関連付けられて記憶されていてもよい。
【００４２】
端末記憶部２０４に記憶された操作モジュール２２２や操作モジュール２２２を構成する操作入力はその内容が把握できるように端末表示部２０６に表示される。本実施形態において端末表示部２０６は、操作モジュール特定情報２２４および操作入力特定情報２２６を表示する。操作モジュール特定情報２２４とは、操作モジュール２２２を特定可能な情報であり、例えば、操作モジュール２２２を端的に表す文字列、アイコン、図形等である。同様に操作入力特定情報２２６とは、操作入力２２０を特定可能な情報であり、例えば、操作入力２２０を端的に表す文字列、アイコン、図形等である。
【００４３】
図６は、操作モジュール特定情報２２４および操作入力特定情報２２６を表示した端末表示部２０６を説明するための説明図である。本実施形態において操作モジュール特定情報２２４とは、操作モジュール２２２の内容を端的に表した文字列であり、操作入力特定情報２２６は操作入力２２０を端的に表した文字列である。図６（ａ）に示すように、端末表示部２０６には操作モジュール特定情報２２４（２２４ａ、２２４ｂ、２２４ｃ）が表示される。本実施形態において操作モジュール２２２ａが「通話開始」および「通話終了」の２つの操作入力２２０で構成されている場合、操作モジュール特定情報２２４ａは、「通話」となり、操作モジュール２２２ｂが「ブラウザ起動」、「ダウンロード完了の受信を受け付けた後、出発駅選択」、「ダウンロード完了の受信を受け付けた後、文字入力」、「確定」、「ダウンロード完了の受信を受け付けた後、到着駅選択」、「ダウンロード完了の受信を受け付けた後、文字入力」、「確定」、「ダウンロード完了の受信を受け付けた後、検索開始確定」の８つの操作入力２２０で構成されている場合、操作モジュール特定情報２２４ｂは、「ウェブ」もしくは「ウェブ：路線検索」となる。
【００４４】
また本実施形態ではユーザによる操作部２０８の押下等の入力に応じて操作モジュール特定情報２２４のうち１つの操作モジュール特定情報２２４ｂが選択されると、操作モジュール特定情報２２４ｂに関連付けられている操作モジュール２２２ｂに含まれる操作入力２２０に関連した操作入力特定情報２２６が端末表示部２０６に表示されることとなる（図６（ｂ））。
【００４５】
したがって、端末表示部２０６を通して過去に行った操作モジュール２２２を、簡単かつ確実にユーザに視認させることができる。さらに、ユーザは表示された複数の操作モジュール２２２から所望する操作モジュール２２２を簡単に選択することが可能となる。
【００４６】
端末実行部２１８は、ユーザによる操作部２０８の実行キー２０８ａの押下等による操作モジュールの実行入力に応じて、端末記憶部２０４に記憶された操作モジュール２２２中の操作入力２２０を順次実行する。
【００４７】
図７は、端末実行部２１８による操作モジュール２２２が実行中である場合の端末表示部２０６を表す図である。図７に示すように、本実施形態では、端末表示部２０６の一部２０６ａに端末実行部２１８による操作入力２２０を実行した結果を表示し、端末表示部２０６の一部２０６ｂに実行中の操作入力特定情報２２６を表示している。
【００４８】
例えば図７（ａ）では、操作入力２２０「出発駅選択」が実行中であることが操作入力特定情報２２６を介して端末表示部２０６ｂに表示され、端末表示部２０６ａに操作入力２２０を実行した結果であるダウンロードされた「出発駅選択カーソル」が表示されている。その後操作入力２２０「出発駅選択」が終了し、操作入力２２０「文字入力」が実行中となり、端末表示部２０６ｂに操作入力２２０の実行結果である「渋谷」のアップロードが行われ端末表示部２０６ａに表示されることとなる（図７（ｂ））。
【００４９】
したがって、現在どの操作入力２２０を実行しているかを、ユーザに端末表示部２０６を通して視認させることができる。
【００５０】
また、端末実行部２１８は、予め複数の実行キー２０８ａに複数の操作モジュール２２２を割り当てておいて、実行キー２０８ａの押下によって、割り当てられた操作モジュール２２２を実行させてもよい。
【００５１】
また、端末記憶部２０４に記憶された操作モジュール２２２は、端末通信部２１０によって転送させることもできる。したがって、端末記憶部２０４に記憶された操作モジュール２２２は、端末通信部２１０を通じて他の携帯端末やパーソナルコンピュータ等の端末機器に送信される。これにより、送信先の端末機器でも煩わしい操作入力を伴うことなく同様の操作モジュール２２２を実行することが可能となる。
【００５２】
（端末操作方法）
続いて、上述したＰＨＳ２００を用いた端末操作方法を説明する。図８は、ＰＨＳ２００を用いた端末操作方法の流れを示したフローチャートである。
【００５３】
まず、ユーザによって複数の操作入力が行われる（Ｓ３００）。操作モジュール生成部２１６が、Ｓ３００にて行われた操作入力２２０を時系列に並べ操作モジュール２２２を生成し（Ｓ３０２）、端末記憶部２０４に操作モジュール生成ステップ（Ｓ３０２）で生成された操作モジュール２２２を記憶する（Ｓ３０４）。そして、ユーザによる操作モジュール２２２の実行入力を検知すると（Ｓ３０６）、その実行入力に応じて操作モジュール２２２中の操作入力２２０を順次実行する（Ｓ３０８）。
【００５４】
上述した如く、ＰＨＳ２００によれは、操作モジュール生成部２１６が一度入力された操作入力２２０から操作モジュール２２２を生成し、端末記憶部２０４が記憶することとなる。さらに端末実行部２１８を備えることにより、一度行った操作入力２２０を操作モジュール２２２単位で実行することができる。したがって、一度行った操作入力２２０を、簡単かつ確実に再度実行することが可能となる。
【００５５】
（第二実施形態：ＰＨＳ４００）
図９は、第二実施形態にかかるＰＨＳ４００を説明するためのシステムブロック図であり、図１０は、ＰＨＳ４００の外観斜視図である。かかるＰＨＳ４００は、端末制御部４０２、端末記憶部２０４と、端末表示部２０６と、操作部４０８と、端末通信部２１０と、音声入力部２１２と、音声出力部２１４と、を含んで構成される。上述した第一実施形態と機能が実質的に等しい構成要素については、同一の符号を付して説明を省略する。
【００５６】
本実施形態において端末制御部４０２は、中央処理装置（ＣＰＵ）を含む半導体集積回路によって構成され、ＰＨＳ４００全体を管理および制御し、操作制御部４０４としても機能する。
【００５７】
操作制御部４０４は、ユーザによる操作部４０８の制御キー４０８ａの押下等を介する開始入力に応じて操作モジュール生成部２１６による操作モジュール２２２の生成を開始し（制御キー４０８ａが点灯する）、ユーザによる操作部４０８の制御キー４０８ａの押下等を介する終了入力に応じて操作モジュール生成部２１６による操作モジュール２２２の生成を終了する（制御キー４０８ａが消灯する）。したがって、ユーザは予め操作制御部４０４を通じて以後行う操作入力２２０から操作モジュール２２２の生成を開始させることができる。またユーザ入力による操作制御部４０４を通じて、操作モジュール２２２の生成を終了させることができる。これにより、ユーザが所望する操作入力２２０のみで構成された操作モジュール２２２を生成させることができる。
【００５８】
（端末操作方法）
続いて、上述したＰＨＳ４００を用いた端末操作方法を説明する。図１１は、ＰＨＳ４００を用いた端末操作方法の流れを示したフローチャートである。まず、操作制御部４０４によって操作モジュール生成部２１６がオンにされ（Ｓ５００）、ユーザによって複数の操作入力が行われる（Ｓ５０２）。操作モジュール生成部２１６が、Ｓ５０２にて行われた操作入力２２０を時系列に並べ操作モジュール２２２の生成を開始し（Ｓ５０４）、操作制御部４０４によって操作モジュール生成部２１６がオフにされると（Ｓ５０６）、操作モジュール２２２の生成が終了し、端末記憶部２０４にて記憶される（Ｓ５０８）。そして、ユーザによる操作モジュール２２２の実行入力を検知すると（Ｓ５１０）、その実行入力に応じて操作モジュール２２２中の操作入力２２０を順次実行する（Ｓ５１２）。
【００５９】
（第三実施形態：ＰＨＳ６００）
図１２は、第三実施形態にかかるＰＨＳ６００を説明するためのシステムブロック図である。かかるＰＨＳ６００は、端末制御部６０２、端末記憶部２０４と、端末表示部２０６と、操作部２０８と、端末通信部２１０と、音声入力部２１２と、音声出力部２１４と、を含んで構成される。上述した第一実施形態および第二実施形態と機能が実質的に等しい構成要素については、同一の符号を付して説明を省略する。
【００６０】
本実施形態において端末制御部６０２は、中央処理装置（ＣＰＵ）を含む半導体集積回路によりＰＨＳ６００全体を管理および制御し、編集作成部６０４としても機能する。
【００６１】
編集作成部６０４は、ユーザ入力に応じて端末記憶部２０４に記憶された操作モジュール２２２を編集し新たな操作モジュール２２２を作成する。
【００６２】
図１３は、編集作成部６０４による新たな操作モジュール２２２の作成を説明するための説明図である。
【００６３】
図１３に示すように、端末表示部２０６に表示された操作入力特定情報２２６のうち１つの操作入力特定情報２２６ａは、ユーザによる操作部２０８の押下等の入力に応じて、操作入力２２０の一部が編集される（図１３（ｂ））。本実施形態では、操作モジュール２２２が路線検索の実行であるため、操作入力２２０「出発駅選択」のあとの操作入力２２０「文字入力」の部分をユーザによる操作部２０８の押下等の入力に応じて、例えば、「渋谷」が「市が尾」に編集される。編集された操作入力２２０を含む操作モジュール２２２は、編集作成部６０４によって新たな操作モジュール２２２として作成され、端末記憶部２０４に記憶される。
【００６４】
これにより、過去に行った操作モジュール２２２の中でユーザが所望する操作入力２２０を部分的に編集したり、操作入力２２０ごと編集したりして、新たな操作モジュール２２２を作成することができる。さらに、新たに作成した操作モジュール２２２を実行することができるので、使い勝手が向上する。
【００６５】
また、編集作成部６０４によって作成された操作モジュール２２２は、端末通信部２１０を介して、他の携帯端末やパーソナルコンピュータ等の端末機器に送信することができる。
【００６６】
例えば、ＰＨＳ６００にてアプリケーションをインストールした場合、操作モジュール生成部２１６にて、アプリケーションをインストールする一連の処理である操作モジュール２２２が生成され、端末記憶部２０４に記憶される。端末記憶部２０４にて記憶された操作モジュール２２２の中で、操作入力２２０「ユーザ名入力：ＰＨＳ６００のユーザ名」をＰＨＳ６００のユーザによる操作部２０８の押下等の入力に応じて操作入力２２０「ユーザ名入力：送信先ユーザ名」に編集し、編集作成部６０４が新たな操作モジュール２２２を作成する。さらに端末通信部２１０によって新たな操作モジュール２２２を他の端末機器に送信することができる。
【００６７】
したがって新たな操作モジュール２２２を受信した他の端末機器のユーザは、ＰＨＳ６００から送信された新たな操作モジュール２２２を実行すれば、煩わしい操作入力を行わずともＰＨＳ６００がインストールしたアプリケーションと同様のものを簡単にインストールすることができる。
【００６８】
なお、本実施形態では、編集作成部６０４は、ユーザ入力に応じて端末記憶部２０４に記憶された操作モジュール２２２を編集し新たな操作モジュール２２２を作成するが、これに限定されず、端末記憶部２０４に記憶された操作モジュール２２２を編集し上書きすることもできる。
【００６９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７０】
なお、本明細書の端末操作方法における各工程は、必ずしもフローチャートとして記載された順序に沿って時系列に処理する必要はなく、並列的あるいは個別に実行される処理（例えば、並列処理あるいはオブジェクトによる処理）も含むとしてもよい。
【産業上の利用可能性】
【００７１】
本発明は、携帯端末および端末操作方法に利用することができる。
【図面の簡単な説明】
【００７２】
【図１】通信システムを説明するためのシステム図である。
【図２】第一実施形態にかかるＰＨＳの概略的な機能を示した機能ブロック図である。
【図３】第一実施形態にかかるＰＨＳの外観斜視図である。
【図４】操作入力および操作モジュールを説明するための説明図である。
【図５】端末記憶部に記憶された操作モジュールを説明するための説明図である。
【図６】操作モジュール特定情報および操作入力特定情報を表示した端末表示部を説明するための説明図である。
【図７】端末実行部による操作モジュールが実行中である場合の端末表示部を表す図である。
【図８】第一実施形態にかかるＰＨＳを用いた端末操作方法の流れを示したフローチャートである。
【図９】第二実施形態にかかるＰＨＳを説明するためのシステムブロック図である。
【図１０】第二実施形態にかかるＰＨＳの外観斜視図である。
【図１１】第二実施形態にかかるＰＨＳを用いた端末操作方法の流れを示したフローチャートである。
【図１２】第三実施形態にかかるＰＨを説明するためのシステムブロック図である。
【図１３】編集作成部による新たな操作モジュールの作成を説明するための説明図である。
【符号の説明】
【００７３】
１００  …通信システム
１１０  …基地局
１２０  …通信網
１３０  …センターサーバ
２００、４００、６００…ＰＨＳ
２０２、４０２、６０２  …端末制御部
２０４  …端末記憶部
２０６  …端末表示部
２０８、４０８  …操作部
２１０  …端末通信部
２１２  …音声入力部
２１４  …音声出力部
２１６  …操作モジュール生成部
２１８  …端末実行部
２２０  …操作入力
２２２  …操作モジュール
２２４  …操作モジュール特定情報
２２６  …操作入力特定情報
４０４  …操作制御部
６０４  …編集作成部
【図１】
2009152806.tif 000003
【図２】
2009152806.tif 000004
【図３】
2009152806.tif 000005
【図４】
2009152806.tif 000006
【図５】
2009152806.tif 000007
【図６】
2009152806.tif 000008
【図７】
2009152806.tif 000009
【図８】
2009152806.tif 000010
【図９】
2009152806.tif 000011
【図１０】
2009152806.tif 000012
【図１１】
2009152806.tif 000013
【図１２】
2009152806.tif 000014
【図１３】
2009152806.tif 000015